(57)【要約】【課題】  縁線や腕金、碍子等を完全に被覆することができるフレキシブル間接シートを提供する。【解決手段】  間接活線作業時等に短絡や地絡を防止するために縁線や腕金、碍子等に被覆させるフレキシブル間接シート１であって、任意の形状に変形させることができ、かつ、その変形した状態を保持することができる絶縁性素材からなる骨材２，２を、柔軟性を有する絶縁性シート材３の外側に設けた保持孔部５，５に着脱自在に挿通させ、その交差部を番線４で縛り固定している。その骨材２には、例えば相互に回動自在に接続された複数の接続素子からなる合成樹脂製のフレキシブルホース等を使用することができる。【選択図】図１
2008206255.tif 000002
【特許請求の範囲】
【請求項１】
間接活線作業時等に短絡や地絡を防止するために縁線や腕金、碍子等に被覆させるフレキシブル間接シートであって、
任意の形状に変形させることができ、かつ、その変形した状態を保持することができる絶縁性素材からなる骨材を、柔軟性を有する絶縁性シート材に一体化させてなることを特徴とするフレキシブル間接シート。
【請求項２】
前記骨材を着脱自在に挿通させるための保持孔部を前記絶縁性シート材の外側に設けたことを特徴とする請求項１に記載のフレキシブル間接シート。
【請求項３】
前記骨材を、前記絶縁性シート材の両側に並行に配設することを特徴とする請求項１又は２に記載のフレキシブル間接シート。
【請求項４】
前記骨材を、前記絶縁性シート材の中央で交差させるように配設することを特徴とする請求項１又は２に記載のフレキシブル間接シート。
【発明の詳細な説明】
【技術分野】
【０００１】
本発明は、間接活線作業時に短絡や地絡を防止するために充電部分等を絶縁するためのフレキシブル間接シートに係り、特に、湾曲した縁線や部分的に突出した腕金、碍子等をも完全に被覆することができるフレキシブル間接シートに関する。
【背景技術】
【０００２】
間接活線作業時に、短絡や地絡を防止するために充電部分や腕金、碍子等に被覆させる防具として、従来、例えば図１４に示すような間接シート２１が使用されていた。この例では、柔軟性を有する絶縁性シート材２２（図示は二つ折りにした状態）の両外縁にプラスチックファイバー等の剛性のある素材からなる骨材２３を並行に貼り付け、その骨材２３に取り付けたクランプ２４で絶縁対象物を挟み付けて固定するように構成される。
【０００３】
図１５は、配電柱Ｐの腕金６を跨ぐように湾曲した状態で架設される縁線７，７（図示中央のもの）の接続作業を間接活線作業で行う場合の従来の間接シート２１の使用例を示し、接続すべき中央の縁線７，７の手前側の縁線７に２つの間接シート２１，２１を被せて、それぞれクランプ２４で縁線７を挟み付けると共に、一方の間接シート２１の端部に付設されているクランプ２４で他方の間接シート２１の端部を挟み付けて間接シート２１，２１同士を固定している。なお、８は縁線７の接続部を覆うカバーである。
【発明の開示】
【発明が解決しようとする課題】
【０００４】
しかし、従来の間接シート２１では、骨材２３を変形させることができないため、図１５に示すように、湾曲した縁線７を完全に覆うことができず、符号Ｒで示すようなはみ出し部分が生じる難点があった。このような場合には、図示は省略するが、サイズの小さい間接シートを多数使用してはみ出し部分の発生を防ぐような対策が採られることもあったが、そのような作業は、間接活線作業では大変な手間を要するため能率の上がらないものであった。また、耐張碍子等の突出した部分に対する被覆については、さらに困難性が増すため、その対策が求められていた。
【０００５】
本発明は、このような実情に鑑みてなされ、縁線や腕金、碍子等を完全に被覆することができるフレキシブル間接シートを提供することを目的とする。
【課題を解決するための手段】
【０００６】
本発明のフレキシブル間接シートは、間接活線作業時等に短絡や地絡を防止するために縁線や腕金、碍子等に被覆させるフレキシブル間接シートであって、任意の形状に変形させることができ、かつ、その変形した状態を保持することができる絶縁性素材からなる骨材を、柔軟性を有する絶縁性シート材に一体化させてなることを特徴とする。
【０００７】
このような構成によれば、骨材を変形させることによって湾曲部分や突出部分を絶縁性シート材で柔軟に包むことができ、その包んだ状態を骨材によって安定に保持させることができるため、間接活線作業用の操作棒での操作が容易となり、間接活線作業時に高い安全性を確保することができる。無論、直線部分にも対応可能であり適用可能範囲が著しく拡大する。その骨材には、例えば相互に回動自在に接続された複数の接続素子からなる合成樹脂製のフレキシブルホース等を使用することができるが、これに限定されることなく、骨材は適宜に構成されてよい。
【０００８】
このようなフレキシブル間接シートでは、骨材を着脱自在に挿通させるための保持孔部を前記絶縁性シート材の外側に設けるのが好ましい。このようにすれば、使用時に骨材を保持孔部に挿通させればよく、骨材と絶縁性シート材をそれぞれ各独立に製作、販売、保管等することができる。骨材は、絶縁性シート材の両側に並行に配設してもよく、絶縁性シート材の中央で交差させるようにしてもよい。
【発明の効果】
【０００９】
本発明のフレキシブル間接シートは、任意の形状に変形させることができ、かつ、その変形した状態を保持することができる絶縁性素材からなる骨材を、柔軟性を有する絶縁性シート材に一体化させるので、骨材を変形させることによって、湾曲部分や突出部分を絶縁性シート材で柔軟に包むことができ、その包んだ状態を安定に保持することができるため、間接活線作業用の操作棒での操作が容易となり、間接活線作業時に高い安全性を確保することができる。
【発明を実施するための最良の形態】
【００１０】
以下に、本発明の実施の形態に係るフレキシブル間接シートについて図面を参照しつつ詳細に説明する。
【００１１】
図１〜図６はフレキシブル間接シート１の例を示し、このフレキシブル間接シート１は、任意の形状に変形させることができ、かつ、その変形した状態を保持することができる絶縁性素材（例えば硬質プラスチック等）からなる骨材２を、柔軟性を有する絶縁性シート材３に一体化させて構成される。図１に示すフレキシブル間接シート１は、正方形状の絶縁性シート材３の外側に、４つの保持孔部５，５，５，５を十文字状に設け、その保持孔部５，５，５，５に骨材２，２を着脱自在に挿通させて、その交差部を番線４等で縛り固定している。その保持孔部５は、例えば絶縁性シート材３と同一素材を用いて略Ｕ字状に湾曲させた孔部５１の両側に平坦状の接合部５２，５２を形成し、その接合部５２，５２を接着、溶着等により絶縁性シート材３に一体化させることにより形成することができる。
【００１２】
図２に示すフレキシブル間接シート１は、絶縁性シート材３を矩形状（長方形状）としたものである。図３，４に示すフレキシブル間接シート１は、絶縁性シート材３の対角線上に骨材２，２を配設して、その交差部を番線４等で縛り固定している。図５，図６に示すフレキシブル間接シート１は、絶縁性シート材３の両側に骨材２，２を並行に配設している。図１〜図６に示すような骨材２の配置パターンは、例えば図７に示すような１枚の絶縁性シート材３で適宜に選択できるようにすることもできる。即ち、図示の例では、１枚の絶縁性シート材３に、十文字方向２１，２１、対角線方向２２，２２及び並行方向２３，２３に、骨材２，２を任意に配置できるように、それぞれ異なる方向と異なる位置に保持孔部５，５を設けている。
【００１３】
各保持孔部５に挿通させる骨材２としては、例えば合成樹脂製のフレキシブルホース（例えばダイナミックツール社のロックラインクーラントホース（商品名））等を使用することができる。このフレキシブルホースは、多数のピース（接続素子）からなり、各ピースの一端側に形成された球状部分と、他端側に形成された凹状部分とにわたって貫通孔が形成され、各ピースの球状部分を凹状部分に回動自在に嵌合させて各ピースを相互に連結し、各貫通孔が連通状態に保持された状態で隣接し合う各ピース同士の相対回動が許容され、ホース全体を任意の形状に変形させることができ、かつ、その変形した状態を保持することができるように構成される。また、切断、接続も容易である。このようなフレキシブルホースは、金属加工工程での冷却、給油、給水用等に使用されるものであるが、安価に入手することができるため、本発明では、ホースとしての機能ではなく、任意の形状に変形させた状態を保持することができる機能を利用して骨材２に適用している。
【００１４】
このような骨材２を一体化させた絶縁性シート材３からなるフレキシブル間接シート１は、骨材２を変形させることによって湾曲部分や突出部分を絶縁性シート材３で柔軟に包むことができ、その包んだ状態を骨材２によって安定に保持することができるため、間接活線作業用の操作棒での操作が容易となり、間接活線作業時に高い安全性を確保することができる。無論、直線部分にも対応可能であり、適用可能範囲が著しく拡大する。図８は、間接活線作業の施工対象となる配電柱Ｐを示し、この例では、３本の縁線７，７，７のうち真ん中の縁線７が接続対象となる。この場合、未接続状態の両縁線７，７の接続部分の被覆を皮剥工具等を用いて剥ぎ取った後、両縁線７，７を圧縮スリーブで接続した後、その接続部分をカバー８で覆う作業が行われるが、このような間接活線作業に先立ち、短絡や地絡を防止するために、その周辺部分をフレキシブル間接シート１によって絶縁状態に被覆する作業が行われる。このフレキシブル間接シート１を用いた被覆作業も間接活線操作棒によって行われる。なお、図８中、６は腕金、９は耐張碍子、１０は引留碍子、１１はピン碍子、１２はクランプカバーである。
【００１５】
図９は、接続すべき中央の縁線７，７の手前側の縁線７をフレキシブル間接シート１で覆った状態を示す。この場合、例えば図４に示す矩形状の２つのフレキシブル間接シート１，１を被せて縁線７に沿わせて骨材２，２を曲げ、３つのクランプ１４，１４，１４でフレキシブル間接シート１，１を挟み付けている。即ち、両側のクランプ１４，１４でフレキシブル間接シート１，１の端部を縁線７に対して挟み付けると共に、一方のフレキシブル間接シート１の端部に他方のフレキシブル間接シート１の端部を被せた状態として真ん中のクランプ１４でフレキシブル間接シート１，１同士を固定している。
【００１６】
このような柔軟なフレキシブル間接シート１を用いることによって、従来生じていた図１５の符号Ｒで示すようなはみ出し部分の発生をなくすことができ、間接活線作業時における短絡や地絡の発生をより一層効果的に防ぐことができる。なお、骨材２に適度な保形性があるため、クランプ１４は必ずしも必要ではないが、フレキシブル間接シート１とは別に用意したものを必要に応じて適宜適所に使用することで、フレキシブル間接シート１の取り付け状態をより一層安定化することができる。
【００１７】
図１０は、クランプカバー１２をフレキシブル間接シート１で覆った状態を示す。この場合、例えば図３に示すフレキシブル間接シート１を用い、一方の対角線上の骨材２をクランプカバー１２（と縁線７）に沿わせて他方の骨材２を２つに折りにしてクランプカバー１２の全体をフレキシブル間接シート１で包囲し、その折り曲げた骨材２の両側部分の絶縁性シート材３をクランプ１４，１４で挟み付けている。
【００１８】
図１１は、２連式の耐張碍子９，９をフレキシブル間接シート１で覆った状態を示す。この場合、例えば図３に示すフレキシブル間接シート１を用い、双方の骨材２，２を２つの耐張碍子９，９に跨がせて２つ折り状態にして２つの耐張碍子９，９の全体をフレキシブル間接シート１で包囲し、両骨材２，２の間の絶縁性シート材３をクランプ１４で挟み付けている。
【００１９】
図１２は、横方向に延びている引留碍子１０をフレキシブル間接シート１で覆った状態を示す。この場合、例えば図３又は図４に示すフレキシブル間接シート１を用い、引留碍子１０の全体にフレキシブル間接シート１を被せて、双方の骨材２，２を引留碍子１０に抱きつかせるように巻き付けてフレキシブル間接シート１を安定に保持させている。この場合、クランプは用いていない。
【００２０】
図１３は、腕金６の先端部と起立状態のピン碍子１１をフレキシブル間接シート１で覆った状態を示す。この場合、例えば図３又は図４に示すフレキシブル間接シート１を用い、腕金６の先端部とピン碍子１１にフレキシブル間接シート１を被せて、双方の骨材２，２を腕金６の先端部と起立状態のピン碍子１１に抱きつかせるように巻き付けてフレキシブル間接シート１を安定に保持させている。この場合にも、クランプは用いていない。
【００２１】
なお、本発明では、骨材２として、任意の形状に変形可能でその変形した状態を保持できる機能を有するフレキシブルホース等を用いるので、前述したように、クランプ１４は必ずしも必須ではないが、フレキシブル間接シート１とは別に用意したものを必要に応じて適宜適所に使用することで、フレキシブル間接シート１の取り付け状態をより一層安定化することができる。また、本発明は、実施の形態に限定されることなく、発明の要旨を逸脱しない限りにおいて、適宜、必要に応じて、設計変更や改良等を行うのは自由であり、各実施の形態間での構成の組み合わせも自由である。例えば絶縁性シート材３の大きさや形状も適宜に選択されてよく、骨材２の本数や配置も適宜に選択されてよく、骨材２は、絶縁性シート材３に対して、予め固定状態に取り付けてもよい。その骨材２は、フレキシブルホースに限定されることなく、任意の形状に変形可能でその変形した状態を保持できるように適宜な構成が採用されてよい。また、フレキシブル間接シート１の取り付け方法についても、また、その取り付ける対象についても、図示の例以外に現場の状況等に応じて適宜に工夫、選択されてよく、どのフレキシブル間接シート１を選択するか、骨材２をどのように曲げるか等についても全く自由であり、あらゆる状況に柔軟に対処できる点が、本発明のフレキシブル間接シートの大きな特徴である。
【図面の簡単な説明】
【００２２】
【図１】本発明の実施の形態に係るフレキシブル間接シートの平面図である。
【図２】同異なるフレキシブル間接シートの平面図である。
【図３】同さらに異なるフレキシブル間接シートの平面図である。
【図４】同別のフレキシブル間接シートの平面図である。
【図５】同さらに別のフレキシブル間接シートの平面図である。
【図６】同他のフレキシブル間接シートの平面図である。
【図７】同絶縁性シート材の平面図である。
【図８】同間接活線作業の施工対象となる配電柱の斜視図である。
【図９】同縁線をフレキシブル間接シートで覆った状態の説明図である。
【図１０】同クランプカバーをフレキシブル間接シートで覆った状態の説明図である。
【図１１】同耐張碍子をフレキシブル間接シートで覆った状態の説明図である。
【図１２】同引留碍子をフレキシブル間接シートで覆った状態の説明図である。
【図１３】同腕金とピン碍子をフレキシブル間接シートで覆った状態の説明図である。
【図１４】従来の間接シートの折り畳んだ状態の平面図である。
【図１５】同縁線を間接シートで覆った状態の説明図である。
【符号の説明】
【００２３】
１…フレキシブル間接シート、２…骨材、３…絶縁性シート材、５…保持孔部、６…腕金、７…縁線、９，１０，１１…碍子
【図１】
2008206255.tif 000003
【図２】
2008206255.tif 000004
【図３】
2008206255.tif 000005
【図４】
2008206255.tif 000006
【図５】
2008206255.tif 000007
【図６】
2008206255.tif 000008
【図７】
2008206255.tif 000009
【図８】
2008206255.tif 000010
【図９】
2008206255.tif 000011
【図１０】
2008206255.tif 000012
【図１１】
2008206255.tif 000013
【図１２】
2008206255.tif 000014
【図１３】
2008206255.tif 000015
【図１４】
2008206255.tif 000016
【図１５】
2008206255.tif 000017
【手続補正書】
【提出日】平成20年1月28日(2008.1.28)
【手続補正１】
【補正対象書類名】特許請求の範囲
【補正対象項目名】全文
【補正方法】変更
【補正の内容】
【特許請求の範囲】
【請求項１】
間接活線作業時等に短絡や地絡を防止するために縁線や腕金、碍子等に被覆させるフレキシブル間接シートであって、
任意の形状に変形させることができ、かつ、その変形した状態を保持することができる絶縁性素材からなる骨材を、柔軟性を有する絶縁性シート材に一体化させてなることを特徴とするフレキシブル間接シート。
【請求項２】
前記骨材を着脱自在に挿通させるための保持孔部を前記絶縁性シート材の外側に設けたことを特徴とする請求項１に記載のフレキシブル間接シート。
【請求項３】
前記保持孔部は、前記絶縁性シート材と同一素材を用いて略Ｕ字状に湾曲させた孔部の両側に平坦状の接合部を形成し、該接合部を前記絶縁性シート材に一体化させて形成されることを特徴とする請求項２に記載のフレキシブル間接シート。
【請求項４】
前記骨材を、前記絶縁性シート材の両側に並行に配設することを特徴とする請求項１〜３の何れか１項に記載のフレキシブル間接シート。
【請求項５】
前記骨材を、前記絶縁性シート材の中央で交差させるように配設することを特徴とする請求項１〜３の何れか１項に記載のフレキシブル間接シート。
【請求項６】
前記骨材を、前記絶縁性シート材の両側に並行に配設し、さらに、前記絶縁性シート材の中央で交差させるように配設することを特徴とする請求項１〜３の何れか１項に記載のフレキシブル間接シート。
【請求項７】
前記絶縁性シート材は、正方形状又は長方形状に形成され、前記骨材を、前記絶縁性シート材の対辺に沿って並行に配設することを特徴とする請求項４又は６に記載のフレキシブル間接シート。
【請求項８】
前記絶縁性シート材は、正方形状又は長方形状に形成され、前記骨材を、前記絶縁性シート材の対角線上に配設することを特徴とする請求項５又は６に記載のフレキシブル間接シート。
【手続補正２】
【補正対象書類名】明細書
【補正対象項目名】０００８
【補正方法】変更
【補正の内容】
【０００８】
このようなフレキシブル間接シートでは、骨材を着脱自在に挿通させるための保持孔部を前記絶縁性シート材の外側に設けるのが好ましい。このようにすれば、使用時に骨材を保持孔部に挿通させればよく、骨材と絶縁性シート材をそれぞれ各独立に製作、販売、保管等することができる。そして、かかる保持孔部は、絶縁性シート材と同一素材を用いて略Ｕ字状に湾曲させた孔部の両側に平坦状の接合部を形成し、接合部を絶縁性シート材に一体化させて形成されてもよい。また、かかるフレキシブル間接シートでは、骨材を、絶縁性シート材の両側に並行に配設してもよく、絶縁性シート材の中央で交差させるように配設してもよい。しかも、かかるフレキシブル間接シートでは、骨材を、絶縁性シート材の両側に並行に配設し、さらに、絶縁性シート材の中央で交差させるように配設してもよい。加えて、かかるフレキシブル間接シートでは、絶縁性シート材は、正方形状又は長方形状に形成され、骨材を、絶縁性シート材の対辺に沿って並行に配設してもよく、又は、絶縁性シート材の対角線上に配設してもよい。
【手続補正書】
【提出日】平成20年4月22日(2008.4.22)
【手続補正１】
【補正対象書類名】特許請求の範囲
【補正対象項目名】全文
【補正方法】変更
【補正の内容】
【特許請求の範囲】
【請求項１】
間接活線作業時等に短絡や地絡を防止するために縁線や腕金、碍子等に被覆させるフレキシブル間接シートであって、
正方形状又は長方形状に形成され、柔軟性を有する絶縁性シート材と、任意の形状に変形させることができ、かつ、その変形した状態を保持することができる絶縁性素材からなる骨材とを備え、該骨材を、前記絶縁性シート材の中央で交差させるように対角線上に配設し、かつ、該絶縁性シート材に一体化させてなることを特徴とするフレキシブル間接シート。
【請求項２】
前記骨材を着脱自在に挿通させるための保持孔部を前記絶縁性シート材の外側に設けたことを特徴とする請求項１に記載のフレキシブル間接シート。
【請求項３】
前記保持孔部は、前記絶縁性シート材と同一素材を用いて略Ｕ字状に湾曲させた孔部の両側に平坦状の接合部を形成し、該接合部を前記絶縁性シート材に一体化させて形成されることを特徴とする請求項２に記載のフレキシブル間接シート。
【請求項４】
前記骨材を、前記絶縁性シート材の両側に並行に配設することを特徴とする請求項１〜３の何れか１項に記載のフレキシブル間接シート。
【請求項５】
前記骨材を、前記絶縁性シート材の対辺に沿って並行に配設することを特徴とする請求項１〜３の何れか１項に記載のフレキシブル間接シート。
【手続補正２】
【補正対象書類名】明細書
【補正対象項目名】０００６
【補正方法】変更
【補正の内容】
【０００６】
本発明のフレキシブル間接シートは、間接活線作業時等に短絡や地絡を防止するために縁線や腕金、碍子等に被覆させるフレキシブル間接シートであって、正方形状又は長方形状に形成され、柔軟性を有する絶縁性シート材と、任意の形状に変形させることができ、かつ、その変形した状態を保持することができる絶縁性素材からなる骨材とを備え、該骨材を、前記絶縁性シート材の中央で交差させるように対角線上に配設し、かつ、該絶縁性シート材に一体化させてなることを特徴とする。
【手続補正３】
【補正対象書類名】明細書
【補正対象項目名】０００８
【補正方法】変更
【補正の内容】
【０００８】
このようなフレキシブル間接シートでは、骨材を着脱自在に挿通させるための保持孔部を前記絶縁性シート材の外側に設けるのが好ましい。このようにすれば、使用時に骨材を保持孔部に挿通させればよく、骨材と絶縁性シート材をそれぞれ各独立に製作、販売、保管等することができる。そして、かかる保持孔部は、絶縁性シート材と同一素材を用いて略Ｕ字状に湾曲させた孔部の両側に平坦状の接合部を形成し、接合部を絶縁性シート材に一体化させて形成されてもよい。また、かかるフレキシブル間接シートでは、骨材を、絶縁性シート材の両側に並行に配設してもよい。しかも、かかるフレキシブル間接シートでは、骨材を、絶縁性シート材の対辺に沿って並行に配設してもよい。